(57)【要約】      （修正有）【課題】流し台や洗面台のように蛇口等の障害物があっても確実に良好且つ円滑に使用することができると共に、シリンダの加工に手数やコストが掛かるのを防止することができ、然も、優れた吸引力及び加圧力を常時発揮することができる手動式清掃用ポンプを提供する。【解決手段】上端部にキャップ３を嵌合した直線状のシリンダ２と、シリンダ２内に往復移動自在に挿入したピストン４と、先端部がピストン４に連結され、基端部がキャップ３から突出するピストンロッド６と、ピストンロッド６の基端部に取り付けたハンドル７と、シリンダ２の下端部に着脱自在に取り付けられ、先端部が排水口の周囲に密着する筒体８とから成り、ピストン４の引き上げ時に吸引作用を行い、ピストン４の押し下げ時に加圧作用を行う手動式清掃用ポンプ１に於いて、前記筒体８を湾曲自在な蛇腹構造の筒体８とする。【選択図】図２
0003143902.tif 000002
【実用新案登録請求の範囲】
【請求項１】
上端部にキャップを嵌合した直線状のシリンダと、シリンダ内に往復移動自在に挿入したピストンと、先端部がピストンに連結され、基端部がキャップから突出するピストンロッドと、ピストンロッドの基端部に取り付けたハンドルと、シリンダの下端部に着脱自在に取り付けられ、先端部が排水口の周囲に密着する筒体とから成り、ピストンの引き上げ時に吸引作用を行い、ピストンの押し下げ時に加圧作用を行う手動式清掃用ポンプに於いて、前記筒体を湾曲自在な蛇腹構造の筒体としたことを特徴とする手動式清掃用ポンプ。
【請求項２】
ピストンの外周面に、ピストンの外周面とシリンダの内周面との間をシールする一対の環状のピストンパッキンを嵌着し、当該一対のピストンパッキンは、シリンダの内周面に屈曲状態で弾性的に当接する断面形状が鋭角状の外周縁部を夫々備えていることを特徴とする請求項１に記載の手動式清掃用ポンプ。
【請求項３】
筒体の先端部に、排水口の周囲に密着するラッパ形状又はお椀形状の吸盤部を一体的に形成したことを特徴とする請求項１に記載の手動式清掃用ポンプ。
【請求項４】
筒体の基端部に、シリンダの下端部に着脱自在に嵌合される筒部を一体的に形成し、当該筒体の基端部をシリンダの下端部に締付け具により着脱自在に取り付けたことを特徴とする請求項１又は請求項３に記載の手動式清掃用ポンプ。
【考案の詳細な説明】
【技術分野】
【０００１】
本考案は、流し台や水洗便器、洗面台、風呂場等の排水口や排水管に詰まった厨芥類や汚物等の詰まり物を取り除くのに用いるものであり、特に、詰まり物に対して吸引作用と加圧作用を行って詰まり物を取り除き、排水口や排水管の詰まりを解消するようにした手動式清掃用ポンプに関するものである。
【背景技術】
【０００２】
一般に、流し台や水洗便器、洗面台、風呂場等の排水を行う個所に於いては、その排水口に水と一緒に厨芥類や汚物、毛髪等が流れ込むことがあり、そのため排水口や排水管に詰まりが生じることがある。
【０００３】
従来、排水口や排水管に詰まった厨芥類等の詰まり物を取り除く場合には、棒状の操作杆の先端部にゴム製のお椀状の吸盤を取り付けた清掃具（図示省略）が使用されて来た。
この清掃具は、吸盤を排水口の周囲に押し付けて密着させ、操作杆を持って吸盤を上下方向へ往復動させて排水口内に正圧・負圧を交互に発生させ、排水口や排水管内に詰まった詰まり物を強制的に移動させて下流側へ流出させ、排水口や排水管の詰まりを解消するようにしたものである。
【０００４】
しかし、前記清掃具は、お椀状の吸盤内の容積が小さいため、詰まった排水口や排水管に与える吸引力、加圧力が弱く、排水口や排水管の詰まりを完全に解消することができないことがあった。
【０００５】
そこで、本件考案者等は、上述した問題を解決するため、吸盤式の清掃具に替えてシリンダ及びピストン等から成る手動式清掃用ポンプを開発し、これを特開２００７−６３８０９号公報（特許文献１）として公開している。
【０００６】
即ち、前記手動式清掃用ポンプは、図示していないが、上端部にキャップを嵌合したシリンダと、シリンダの下端部に着脱自在に取り付けられ、先端部が排水口の周囲に密着する弾性材製の筒体と、シリンダ内に往復移動自在に挿入したピストンと、ピストンの外周面に嵌着され、シリンダの内周面を摺動するピストンパッキンと、先端部がピストンに連結され、基端部がキャップから突出するピストンロッドと、ピストンロッドの基端部に取り付けたハンドルとから成り、ピストンの引き上げ時に吸引作用を行い、又、ピストンの押し下げ時に加圧作用を行うように構成されている。
【０００７】
前記手動式清掃用ポンプは、シリンダ及びピストン等から構成されているため、吸盤式の清掃具に比較して吸引力及び加圧力が強く、排水口や排水管の詰まりを確実に解消することができる。
又、この手動式清掃用ポンプは、シリンダの下端部側がピストン及びピストンロッドの軸線に対して傾斜した構造となっているため、流し台や洗面台のように排水口の近傍上方位置に蛇口があったり、或いは水洗便器のように縁があったりした場合でも、ハンドルを操作するときに蛇口や水洗便器の縁が邪魔になると云うことがなく、良好且つ円滑に使用することができる。
【０００８】
しかし、この手動式清掃用ポンプは、シリンダの下端部側がピストン及びピストンロッドの軸線に対して一定の角度で傾斜しているため、流し台等の蛇口の位置や水洗便器の形状等が大きく変わった場合には、使用することができないと云う問題があった。
又、この手動式清掃用ポンプは、シリンダの下端部側をピストン及びピストンロッドの軸線に対して傾斜させているため、シリンダの加工に手数が掛かると共に、コストの高騰を招くと云う問題があった。
更に、この手動式清掃用ポンプは、シリンダの下端部に弾性材製の筒体をただ単に嵌め込んでいるだけであるため、使用中に筒体が外れてしまい、吸引作用や加圧作用を行えないと云う問題も発生していた。
【特許文献１】特開２００７−６３８０９号公報
【考案の開示】
【考案が解決しようとする課題】
【０００９】
本考案は、このような問題点に鑑みて為されたものであり、その目的は流し台や洗面台のように蛇口等の障害物があっても確実に良好且つ円滑に使用することができると共に、シリンダの加工に手数やコストが掛かるのを防止することができ、然も、優れた吸引力及び加圧力を常時発揮することができる手動式清掃用ポンプを提供することにある。
【課題を解決するための手段】
【００１０】
上記目的を達成する為に、本考案の請求項１の考案は、上端部にキャップを嵌合した直線状のシリンダと、シリンダ内に往復移動自在に挿入したピストンと、先端部がピストンに連結され、基端部がキャップから突出するピストンロッドと、ピストンロッドの基端部に取り付けたハンドルと、シリンダの下端部に着脱自在に取り付けられ、先端部が排水口の周囲に密着する筒体とから成り、ピストンの引き上げ時に吸引作用を行い、ピストンの押し下げ時に加圧作用を行う手動式清掃用ポンプに於いて、前記筒体を湾曲自在な蛇腹構造の筒体としたことに特徴がある。
【００１１】
本考案の請求項２の考案は、ピストンの外周面に、ピストンの外周面とシリンダの内周面との間をシールする一対の環状のピストンパッキンを嵌着し、当該一対のピストンパッキンは、シリンダの内周面に屈曲状態で弾性的に当接する断面形状が鋭角状の外周縁部を夫々備えていることに特徴がある。
【００１２】
本考案の請求項３の考案は、筒体の先端部に、排水口の周囲に密着するラッパ形状又はお椀形状の吸盤部を一体的に形成したことに特徴がある。
【００１３】
本考案の請求項４の考案は、筒体の基端部に、シリンダの下端部に着脱自在に嵌合される筒部を一体的に形成し、当該筒体の基端部をシリンダの下端部に締付け具により着脱自在に取り付けたことに特徴がある。
【考案の効果】
【００１４】
本考案の請求項１の手動式清掃用ポンプは、シリンダの下端部に排水口の周囲に密着する湾曲自在な蛇腹構造の筒体を取り付けているため、流し台や洗面台のように蛇口があったり、水洗便器のように縁があったりした場合でも、蛇腹構造の筒体を任意の角度に湾曲させることによって、手動式清掃用ポンプの向きをハンドルの操作に支障を来たさない向きに自由に変えることができる。その結果、本考案の手動式清掃用ポンプは、流し台等の蛇口や水洗便器の縁等の障害物があっても、確実に良好且つ円滑に使用することができ、排水口や排水管の清掃作業を確実に行うことができる。
又、本考案の請求項１の手動式清掃用ポンプは、シリンダを真っ直ぐな直線状に形成しているため、下端部側をピストン及びピストンロッドの軸線に対して傾斜させた従来の手動式清掃用ポンプのシリンダのように加工に手数やコストが掛かると云うこともない。
【００１５】
本考案の請求項２乃至請求項４の手動式清掃用ポンプは、上記効果に加えて更に次のような優れた効果を奏することができる。
即ち、本考案の請求項２の手動式清掃用ポンプは、ピストンの外周面にピストンの外周面とシリンダの内周面との間をシールする一対の環状のピストンパッキンを嵌着し、両ピストンパッキンの外周縁部を断面形状鋭角状に形成してシリンダの内周面に屈曲状態で当接させているため、両ピストンパッキンの外周縁部がシリンダの内周面に密着すると共に、例えピストンパッキンが摩耗したりしてもピストンパッキンとシリンダの内周面との間に隙間が生じることがない。その結果、本考案の手動式清掃用ポンプは、シール性の大幅な向上を図れて強力な吸引力及び加圧力を発揮することができ、排水口や排水管の詰まりを確実且つ良好に解消することができる。
【００１６】
又、本考案の請求項３の手動式清掃用ポンプは、筒体の先端部に、排水口の周囲に密着するラッパ形状又はお椀形状の吸盤部を一体的に形成しているため、筒体の先端部が排水口の周囲に確実且つ良好に密着し、吸引作用及び加圧作用が確実に行われ、排水口や排水管の詰まりをより確実且つ良好に解消することができる。
【００１７】
更に、本考案の請求項４の手動式清掃用ポンプは、筒体の基端部に、シリンダの下端部へ着脱自在に嵌合される筒部を一体的に形成し、当該筒体の基端部をシリンダの下端部に締付け具により着脱自在に取り付けているため、使用中に筒体がシリンダから外れると云うことがなく、吸引作用及び加圧作用を常時確実且つ良好に行うことができる。
【考案を実施するための最良の形態】
【００１８】
以下、本考案の実施の形態を図面に基づいて詳細に説明する。
図１及び図２は本考案の実施の形態に係る手動式清掃用ポンプ１を示し、当該手動式清掃用ポンプ１は、流し台や水洗便器、洗面台、風呂場等の排水口や排水管に詰まった厨芥類や汚物等の詰まり物を取り除くのに用いるものである。
【００１９】
即ち、前記手動式清掃用ポンプ１は、図１及び図２に示す如く、直線状のシリンダ２と、シリンダ２の上端部に嵌合され、シリンダ２の上端部開口を閉塞するキャップ３と、シリンダ２内に往復移動自在に挿入されたピストン４と、ピストン４の外周面に嵌着され、シリンダ２の内周面とピストン４の外周面との間をシールする一対のピストンパッキン５と、先端部がピストン４に連結され、基端部がキャップ３から突出するピストンロッド６と、ピストンロッド６の基端部に取り付けたハンドル７と、シリンダ２の下端部に締付け具１４を介して着脱自在に取り付けられ、先端部が流し台や水洗便器等の排水口の周囲に密着する湾曲自在な蛇腹構造の筒体８等から成り、ピストン４の引き上げ時に吸引作用を行い、又、ピストン４の押し下げ時に加圧作用を行うように構成されている。
【００２０】
具体的には、前記シリンダ２は、プラスチック材や耐食性に優れた金属材により真っ直ぐな筒状に形成されている。このシリンダ２は、直線状の真っ直ぐな筒状に形成されているため、加工に手数やコストが掛かると云うことがない。
【００２１】
前記キャップ３は、プラスチック材や耐食性に優れた金属材により形成されており、シリンダ２の上端部に嵌合されて複数本のキャップ取付けネジ９によりシリンダ２の上端部に固定されている。このキャップ３には、コの字状の手持ちハンドル１０が複数本の取付けネジ（図示省略）により傾斜姿勢で取り付けられている。
尚、この実施の形態に於いては、キャップ３に手持ちハンドル１０を取付けネジにより取り付けるようにしたが、他の実施の形態に於いては、図示していないが、キャップ３に手持ちハンドル１０を一体的に形成するようにしても良く、或いは手持ちハンドル１０を省略するようにしても良い。
【００２２】
前記ピストン４は、プラスチック材や耐食性に優れた金属材により厚肉の円盤状に形成されており、後述する一対のピストンパッキン５を介してシリンダ２内に摺動自在且つ往復移動自在に挿入されている。このピストン４の外周面には、ピストンパッキン５を嵌着するための環状のパッキン溝４ａが所定の間隔を空けて形成されている。
【００２３】
前記両ピストンパッキン５は、ニトリルゴムやウレタンゴム、フッ素ゴム等のゴム材により環状に形成されており、シリンダ２の内周面に屈曲状態で当接する断面形状が鋭角状の外周縁部５ａを夫々備えている。
即ち、一方のピストンパッキン５（下側のピストンパッキン５）は、図３に示す如く、外周縁部５ａの下面側がテーパ面５ｂに形成された断面形状が鋭角状の外周縁部５ａを備えており、その外周縁部５ａがシリンダ２の内周面に屈曲状態（上側へ折れ曲がった状態）で弾性的に当接している。そのため、ピストン４の引き上げ時にシリンダ２の内周面とピストン４の外周面との間で且つ両ピストンパッキン５間に流体が侵入しても、下側のピストンパッキン５の外周縁部５ａが流体圧により拡開してシリンダ２の内周面に密着することになり、流体の漏洩を確実に防止することができる。
又、他方のピストンパッキン５（上側のピストンパッキン５）は、図３に示す如く、外周縁部５ａの上面側がテーパ面５ｂに形成された断面形状が鋭角状の外周縁部５ａを備えており、その外周縁部５ａがシリンダ２の内周面に屈曲状態（下側へ折れ曲がった状態）で弾性的に当接している。そのため、ピストン４の押し下げ時にシリンダ２の内周面とピストン４の外周面との間で且つ両ピストンパッキン５間に流体が侵入しても、上側のピストンパッキン５の外周縁部５ａが流体圧により拡開してシリンダ２の内周面に密着することになり、流体の漏洩を確実に防止することができる。
【００２４】
前記ピストンロッド６は、プラスチック材や耐食性に優れた金属材により形成されており、その基端部側にはプラスチック製又は金属製のハンドル７が取り付けられている。このピストンロッド６は、キャップ３に遊嵌状態で挿通されてシリンダ２の軸線位置に挿入されており、その先端部が取付けナット１１及びＵナット１２を介してピストン４に連結固定されている。
尚、ピストンロッド６には、一対の緩衝用のコイルスプリング１３が介装されている。
又、ピストンロッド６とキャップ３との間には、ピストン４の上昇時にピストン４の上方空間にあるシリンダ２内の空気を外部へ逃がす隙間が形成されている。
【００２５】
前記筒体８は、可撓性や弾性を有するプラスチック材や合成ゴム材等により蛇腹構造に形成されており、任意の角度に湾曲自在となっている。この実施の形態に於いては、筒体８は、塩化ビニル樹脂又は熱可塑性エラストマーにより筒状の蛇腹構造に形成されている。
又、筒体８の基端部には、シリンダ２の下端部に着脱自在に嵌合される短い筒部８ａが一体的に形成されていると共に、筒体８の先端部には、流し台や洗面台、水洗便器の排水口の周囲に密着して吸引作用及び加圧作用のときに圧力の漏洩を防止するラッパ形状の吸盤部８ｂ（又はお椀形状の吸盤部（図示省略））が一体的に形成されている。
【００２６】
尚、筒体８には、長さや吸盤部８ｂの直径が異なるものが数種類用意されており、各筒体８は流し台や水洗便器等の各種排水口の大きさや形状、排水口の位置等に応じて使い分けられている。
例えば、排水口の位置が深い位置にある場合には、長い円筒状の筒体８が、排水口の位置が浅い位置にある場合には、短い円筒状の筒体８が、大便器のように排水口が大きい場合には、吸盤部８ｂの径が大きい筒体８が夫々使用されている。
【００２７】
そして、前記筒体８は、その短い筒部８ａをシリンダ２の下端部側に嵌合する共に、短い筒部８ａの外周面に環状の締付け具１４を装着し、この状態で締付け具１４を締付けて短い筒部８ａをシリンダ２の外周面へ締付けることによって、シリンダ２の下端部に取り付けられている。
尚、締付け具１４は、筒体８の筒部８ａ外周面に巻き回される金属製の締付けバンド１４ａと、締付けバンド１４ａの基端部に設けたハウジング１４ｂと、ハウジング１４ｂ内に回転自在に取り付けられ、締付けバンド１４ａに形成した係止溝１４ａ′に噛合する締付けネジ１４ｃとから成り、締付けネジ１４ｃを回転させて締付けバンド１４ａの先端部側を周方向へ移動させることによって、筒体８の筒部８ａ外周面に巻き回した締付けバンド１４ａの径を収縮させて筒体８の筒部８ａをシリンダ２側へ締付けるようにしたものである。
【００２８】
次に、上述した手動式清掃用ポンプ１を用いて流し台や水洗便器等の排水口や排水管に詰まった厨芥類等の詰まり物を除去する場合の一例について説明する。
先ず、流し台や水洗便器等の詰まった排水口に水を入れ、手動式清掃用ポンプ１のシリンダ２の下端部に排水口の大きさ等に合致する筒体８を締付け具１４により取り付ける。このとき、排水口に予め水が溜まっている場合には、排水口に水を入れる必要はない。
次に、筒体８の吸盤部８ｂを水に浸けてハンドル７を引き上げ、シリンダ２内に水を吸い込んでシリンダ２内のピストン４の下方空間に水を充満させる。
その後、シリンダ２内に水を充満させた状態で筒体８の吸盤部８ｂを排水口の周囲に密着させ、ハンドル７を強く押し下げる。そうすると、排水口から排水管内に加圧水が圧入され、排水口や排水管内に詰まっている詰まり物が水と一緒に下流側へ押し流される。
尚、一回の押出作業で排水口や排水管の詰まりが解消されない場合には、筒体８を排水口の周囲から離し、上記の過程を繰り返して行う。
【００２９】
上述した説明では、排水口や排水管の詰まりを押出作業で解消するようにしたが、排水口の直ぐ近くに詰まりが生じている場合には、排水口の詰まりを吸引作業で解消するようにしても良い。
即ち、ハンドル７を押し下げてピストン４をシリンダ２の下方へ移動させ、この状態で筒体８の吸盤部８ｂを排水口の周囲に密着させた後、ハンドル７を引き上げ操作してピストン４をシリンダ２の上方へ移動させる。そうすると、シリンダ２内のピストン４の下方空間が減圧状態になり、排水口内の詰まり物が水と一緒に吸い上げられて除去される。
尚、一回の吸引作業で排水口の詰まりが解消されない場合には、筒体８の吸盤部８ｂを排水口の周囲から離し、上記の過程を繰り返して行う。
【００３０】
又、排水口や排水管に強固に詰まった詰まり物に対しては、吸引作用と加圧作用を交互に繰り返して行い、詰まり物に上下方向の揺れを生じさせ、詰まり物を吸引又は押し出して除去するようにしても良い。
【００３１】
このように、前記手動式清掃用ポンプ１は、流し台や水洗便器等の排水口や排水管に詰まった詰まり物に対して吸引作用や加圧作用を行えるため、様々な詰まりに対応することができ、排水口や排水管の詰まりを確実且つ良好に解消することができる。
又、この手動式清掃用ポンプ１は、シリンダ２の下端部に排水口の周囲に密着する湾曲自在な蛇腹構造の筒体８を取り付けているため、流し台や洗面台のように蛇口があったり、水洗便器のように縁があったりした場合でも、蛇腹構造の筒体８を任意の角度に湾曲させることによって、手動式清掃用ポンプ１の向きをハンドル７の操作に支障を来たすことがない向きにすることができ、確実且つ良好に使用することができる。
更に、この手動式清掃用ポンプ１は、ピストン４の外周面に一対のピストンパッキン５を嵌着し、両ピストンパッキン５の外周縁部５ａを断面形状鋭角状に形成してシリンダ２の内周面に屈曲状態で当接させているため、シール性の向上を図れて強力な吸引力及び加圧力を発揮することができ、排水口や排水管の詰まりを確実且つ良好に解消することができる。
そのうえ、この手動式清掃用ポンプ１は、筒体８の先端部に排水口の周囲に密着するラッパ形状（又はお椀形状の吸盤部）を一体的に形成しているため、筒体８の先端部が排水口の周囲に確実且つ良好に密着し、吸引作用及び加圧作用が確実に行われ、排水口や排水管の詰まりをより確実且つ良好に解消することができる。
加えて、この手動式清掃用ポンプ１は、シリンダ２の下端部に筒体８の基端部を締付け具１４により着脱自在に取り付けているため、使用中に筒体８がシリンダ２から外れると云うことがなく、吸引作用及び加圧作用を常時確実且つ良好に行うことができる。
【図面の簡単な説明】
【００３２】
【図１】本考案の実施の形態に係る手動式清掃用ポンプの正面図である。
【図２】手動式清掃用ポンプの一部省略縦断面図である。
【図３】手動式清掃用ポンプの要部の拡大断面図である。
【図４】手動式清掃用ポンプの筒体を湾曲させ、手動式操作用ポンプの姿勢を変えた状態の正面図である。
【符号の説明】
【００３３】
１は手動式清掃用ポンプ、２はシリンダ、３はキャップ、４はピストン、５はピストンパッキン、５ａはピストンパッキンの外周縁部、６はピストンロッド、７はハンドル、８は筒体、８ａは吸盤部、１４は締付け具。
【図１】
0003143902.tif 000003
【図２】
0003143902.tif 000004
【図３】
0003143902.tif 000005
【図４】
0003143902.tif 000006